(57)【特許請求の範囲】
【請求項１】
帯域を複数のバンドに分割し、各バンドを移動局に割り当ててＯＦＤＭデータ通信するＯＦＤＭ通信方法において、
移動局から受信する該移動局において測定された下りリンク伝送特性および隣接するバンドの使用状態を監視するステップ、
前記下りリンクの伝送特性および隣接するバンドの使用状態に基づいて、バンドの境界に設けたガードバンド領域を下りリンクのデータ伝送に際して使用するか、又はガードバンドとしてデータ伝送に使用しないかを決定するステップ、
を備え、基地局は、ある１つのバンドにおいて、伝送レートの高いデータ通信を行う場合、そのバンドの両端のガードバンド領域をデータ伝送に使用しないと決定する、
ことを特徴とするＯＦＤＭ通信方法。
【請求項２】
帯域を複数のバンドに分割し、各バンドを移動局に割り当ててＯＦＤＭデータ通信するＯＦＤＭ通信方法において、
移動局から受信する該移動局において測定された下りリンク伝送特性および隣接するバンドの使用状態を監視するステップ、
前記下りリンクの伝送特性および隣接するバンドの使用状態に基づいて、バンドの境界に設けたガードバンド領域を下りリンクのデータ伝送に際して使用するか、又はガードバンドとしてデータ伝送に使用しないかを決定するステップ、
を備え、基地局は、隣り合ったバンドの受信電力差が大きい場合、隣り合ったバンドの境界のガードバンド領域をデータ伝送に使用しないと決定する、
ことを特徴とするＯＦＤＭ通信方法。
【請求項３】
帯域を複数のバンドに分割し、各バンドを移動局に割り当ててＯＦＤＭデータ通信するＯＦＤＭ通信方法において、
移動局から受信する該移動局において測定された下りリンク伝送特性および隣接するバンドの使用状態を監視するステップ、
前記下りリンクの伝送特性および隣接するバンドの使用状態に基づいて、バンドの境界に設けたガードバンド領域を下りリンクのデータ伝送に際して使用するか、又はガードバンドとしてデータ伝送に使用しないかを決定するステップ、
を備え、基地局は、ガードバンド近傍のサブキャリアの受信ＳＩＲが小さい場合、そのガードバンド領域をデータ伝送に使用しないと決定する、
ことを特徴とするＯＦＤＭ通信方法。
【請求項４】
帯域を複数のバンドに分割し、各バンドを移動局に割り当ててＯＦＤＭデータ通信するＯＦＤＭ通信方法において、
バンドの上りリンク通信における伝送特性および隣接するバンドの使用状態を監視するステップ、
前記バンドの伝送特性および隣接するバンドの使用状態に基づいて、バンドの境界に設けたガードバンド領域を上りリンクのデータ伝送に際して使用するか、又はガードバンドとしてデータ伝送に使用しないかを決定するステップ、
該上りリンク通信おけるガードバンド領域の使用方法を移動局に通知するステップ、
を備え、基地局は、隣り合ったバンドの受信タイミング差が大きい場合、隣り合ったバンドの境界のガードバンド領域をデータ伝送に使用しないと決定する、
ことを特徴とするＯＦＤＭ通信方法。
【請求項５】
帯域を複数のバンドに分割し、各バンドを移動局に割り当ててＯＦＤＭデータ通信するＯＦＤＭ通信方法において、
バンドの上りリンク通信における伝送特性および隣接するバンドの使用状態を監視するステップ、
前記バンドの伝送特性および隣接するバンドの使用状態に基づいて、バンドの境界に設けたガードバンド領域を上りリンクのデータ伝送に際して使用するか、又はガードバンドとしてデータ伝送に使用しないかを決定するステップ、
該上りリンク通信おけるガードバンド領域の使用方法を移動局に通知するステップ、
を備え、基地局は、隣り合ったバンドの周波数オフセット差が大きい場合、隣り合ったバンドの境界のガードバンド領域をデータ伝送に使用しないと決定する、
ことを特徴とするＯＦＤＭ通信方法。
【請求項６】
帯域を複数のバンドに分割し、各バンドを移動局に割り当ててＯＦＤＭデータ通信するＯＦＤＭ通信システムの基地局において、
隣接するバンドの使用状態を監視する監視部、
上りリンク通信における各バンドの伝送特性を測定する測定部、
前記隣接するバンドの使用状態およびバンドの伝送特性に基づいて、バンドの境界に設けたガードバンド領域をデータ伝送に使用するか、又はガードバンドとしてデータ伝送に使用しないかを決定するバンド制御部、
を備え、前記バンド制御部は、隣り合ったバンドの受信タイミング差が大きい場合、隣り合ったバンドの境界のガードバンド領域をデータ伝送に使用しないと決定する、
ことを特徴とする基地局。
【請求項７】
帯域を複数のバンドに分割し、各バンドを移動局に割り当ててＯＦＤＭデータ通信するＯＦＤＭ通信システムの基地局において、
隣接するバンドの使用状態を監視する監視部、
上りリンク通信における各バンドの伝送特性を測定する測定部、
前記隣接するバンドの使用状態およびバンドの伝送特性に基づいて、バンドの境界に設けたガードバンド領域をデータ伝送に使用するか、又はガードバンドとしてデータ伝送に使用しないかを決定するバンド制御部、
を備え、前記バンド制御部は、隣り合ったバンドの周波数オフセット差が大きい場合、隣り合ったバンドの境界のガードバンド領域をデータ伝送に使用しないと決定する、
ことを特徴とする基地局。
【請求項８】
帯域を複数のバンドに分割し、各バンドを移動局に割り当ててＯＦＤＭデータ通信するＯＦＤＭ通信システムの移動局において、
隣り合ったバンドの受信電力差が大きい場合、隣り合ったバンドの境界のガードバンド領域をデータ伝送に使用しないと決定する基地局から、所定のバンドで下り送信データと制御情報とを受信するＯＦＤＭ受信部、
下りリンク通信における前記所定バンドの受信電力を測定する測定部、
該測定した受信電力を前記基地局に送信するＯＦＤＭ送信部、
該基地局から送信される制御情報を復調する制御情報復調部、
下りリンク通信においてガードバンド領域をデータ伝送に使用するか、使用しないかの制御情報の指示に基づいて、下り送信データを復調するデータ復調部、
を備えたことを特徴とする移動局。
【請求項９】
帯域を複数のバンドに分割し、各バンドを移動局に割り当ててＯＦＤＭデータ通信するＯＦＤＭ通信システムの移動局において、
ガードバンド近傍のサブキャリアの受信ＳＩＲが小さい場合、そのガードバンド領域をデータ伝送に使用しないと決定する基地局から、所定のバンドで下り送信データと制御情報とを受信するＯＦＤＭ受信部、
下りリンク通信における前記所定バンドのガードバンド近傍のサブキャリアの受信ＳＩＲを測定する測定部、
該測定した受信ＳＩＲを前記基地局に送信するＯＦＤＭ送信部、
該基地局から送信される制御情報を復調する制御情報復調部、
下りリンク通信においてガードバンド領域をデータ伝送に使用するか、使用しないかの制御情報の指示に基づいて、下り送信データを復調するデータ復調部、
を備えたことを特徴とする移動局。
【発明の詳細な説明】
【技術分野】
【０００１】
本発明はＯＦＤＭ(Orthogonal Frequency Division Multiplexing)通信システム及びＯＦＤＭ通信方法に係り、特に、帯域を複数のバンドに分割し、各バンドを移動局に割り当ててＯＦＤＭデータ通信するＯＦＤＭ通信システムの基地局、移動局およびＯＦＤＭ通信方法に関する。
【背景技術】
【０００２】
・ＯＦＤＭAアクセス方式
ＯＦＤＭ通信方式を用いるセルラー移動通信において、帯域を複数のバンドに分割し、それぞれの帯域を複数のユーザに割り当てることでユーザを多重するＯＦＤＭA(Orthogonal Frequency Division Multiple Access)と呼ばれているアクセス方式が知られている。図１８は、ＯＦＤＭAアクセス方式の周波数帯域におけるユーザ分割の様子を示した図である。図１８（A）では、３１個のサブキャリアからなる帯域を、１０サブキャリア、１１サブキャリア、１０サブキャリアの３つのバンドに分割した例を示しており、それぞれのバンドは異なるユーザに割り当てられる。【０００３】
・ＯＦＤＭAを下りリンクに適用した場合
ＯＦＤＭAを下りリンク（基地局から移動局への通信）に適用した場合の基地局送信機の構成を図１９に、移動局受信機の構成を図２０示す。下りリンクにおいて、バンド毎に割り当てられた３ユーザの送信データは、図１８の１〜３１の各サブキャリアに配分され、ＩＦＦＴ部１に入力される。ＩＦＦＴ部１はサブキャリア信号にＩＦＦＴ処理を施して時間領域信号に変換し、ガードインターバル挿入部２は該時間領域信号にガードインターバル(ＧＩ：Guard Interval)を挿入する。ここで、ガードインターバルＧＩは、図２１に示すように、ＯＦＤＭシンボルの最後の部分をコピーして作られる。ＧＩ挿入後のベースバンド信号は、送信回路（Tx）３のＤＡ変換器３ａでアナログ信号に変換された後、周波数変換部３ｂで中心周波数ｆ1のＲＦ信号に周波数変換され、バンドパスフィルタ３ｃで帯域制限された後、増幅されて送信アンテナ４から送出される。図１８（B）は周波数変換後のＲＦ信号における各バンドの帯域幅及び中心周波数を示すもので、帯域幅Ｂ１（ＭＨｚ）のバンドが、帯域幅Ｂ２（ＭＨｚ）の3つのバンドに分割され、かつ、それぞれのバンドの中心周波数がｆ0，ｆ1，ｆ2であるとしている。
又、基地局は図２２に示すフレームフォーマットを用いて、移動局でチャネル推定に必要な既知のパイロット信号を一定間隔で挿入して送信する。フレームはｎ個のＯＦＤＭシンボルで構成され、1フレーム毎にパイロットシンボル、制御データシンボルが挿入されている。
送信アンテナ４から出力された信号は、フェージング伝搬路を経て、移動局の受信アンテナ５(図２０)によって受信され、受信回路（Rx）６はアンテナにより受信されたＲＦ信号(図１８（B）)をベースバンド信号に変換する。すなわち、通過帯域Ｂ１のバンドパスフィルタ６ａはアンテナ５で受信されたＲＦ信号の帯域を制限してローノイズアンプ６ｂに入力し、ローノイズアンプ６ｂは所定の電力に増幅する。ミキサー６ｃはローノイズアンプ６ｂの出力信号に、復調対象のバンドの中心周波数を有するローカル信号を乗算して電力増幅後のＲＦ信号をべースバンド信号に変換する。たとえば、移動局がバンド２を復調対象とすれば、ローカル発振器６ｄは周波数ｆ1のローカル信号を発生し、ミキサー６ｃは該ローカル信号をＲＦ信号に乗算することによりべースバンド信号に変換する。ここでは、ＲＦ信号からべースバンドに直接変換する例を示しているが、一度中間周波数に落とす方法もある。
べースバンド変換後の信号は、図１８（B）に示すように、遮断周波数B２／２（ＭＨｚ）の特性Ａを有するアンチエイリアシング用のローパスフィルタ６ｅを通ってＡＤ変換器
６ｆに入力される。ＡＤ変換器６ｆは、バンド幅Ｂ２の2倍のサンプリングレートを用いてディジタルデータに変換する。最後に遮断周波数Ｂ２／２（ＭＨｚ）のＦＩＲフィルタ６ｇはＡＤ変換後の信号から所望のバンドの信号を切出して出力する。
ＦＦＴタイミング同期回路７は、受信回路６から出力する所望のバンドの信号を含む時間領域信号よりＦＦＴタイミングを検出し、シンボル切出し部８は該ＦＦＴタイミングでシンボルを切出してＦＦＴ部９に入力する。ＦＦＴ部９は切り出されたシンボル毎にＦＦＴ処理を行ない、周波数領域のサブキャリア信号に変換する。チャネル推定回路１０は、一定間隔で受信するパイロットシンボルと既知のパイロットパターンとの相関を計算することで、サブキャリア毎のチャネル推定を行ない、チャネル補償回路１１は、チャネル推定値を用いて、データシンボルのチャネル変動を補償する。以上の処理によって、図１８の１〜３１の各サブキャリアに配分された送信データの復調が行われるが、ＯＦＤＭAの受信機では、自局に割り当てられたバンドのサブキャリア信号のみを復調すればよい。図２０の例では、ＦＦＴ部９がバンド２のサブキャリア信号１１〜２１を出力し、チャネル補償部１１がチャネル補償して復調データを出力する。自局に割り当てられたバンドの情報は、図２２のフレームフォーマットに示すように、時間多重された制御チャネルによって移動局に通知される。以後、図示しないが復調されたサブキャリア信号１１〜２１はシリアルデータに変換された後、復号される。【０００４】
・ＯＦＤＭAを上りリンクに適用した場合
図２３はＯＦＤＭAを上りリンク（移動局から基地局への通信）に適用した場合の移動局の構成図、図２４は基地局の構成図である。
図１８(Ａ)に示すようにバンド１〜バンド３は、それぞれ異なる移動局２０1〜２０3に割り当てられている。各移動局２０1〜２０3において、ユーザの送信データはＩＦＦＴ部２１1〜２１3にサブキャリア信号１〜１０，１１〜２１，２２〜３１として入力される。ＩＦＦＴ部２１1〜２１3はそれぞれサブキャリア信号にＩＦＦＴ処理を施して時間領域信号に変換し、ガードインターバル挿入部２２1〜２２3は該時間領域信号にガードインターバルＧＩを挿入する。送信回路（Tx）２３1〜２３3は入力信号をアナログ信号に変換した後、各バンドに応じた中心周波数ｆ0〜ｆ2のＲＦ信号に周波数変換し、帯域制限した後、増幅して送信アンテナ２４1〜２４3から送出する。
各移動局から送信されたＯＦＤＭ変調信号は、それぞれの伝搬路を通り、基地局の受信アンテナ３１(図２４)で受信され、受信回路（Rx）３２はＲＦ信号をベースバンド信号に変換する。すなわち、通過帯域Ｂ１のバンドパスフィルタ３２ａはアンテナ３１で受信されたＲＦ信号の帯域を制限してローノイズアンプ３２ｂに入力し、ローノイズアンプ３２ｂは所定の電力に増幅する。ミキサー３２ｃはローノイズアンプ３２ｂの出力信号に、ローカル発振器３２ｄから出力するバンドＢ１の中心周波数ｆ1の信号を乗算することにより、電力増幅後のＲＦ信号をべースバンド信号に変換する。べースバンド変換後の信号は、遮断周波数B１／２（ＭＨｚ）のアンチエイリアシング用のローパスフィルタ３２ｅを通ってＡＤ変換器３２ｆに入力される。ＡＤ変換器３２ｆは、バンド幅Ｂ１の2倍のサンプリングレートを用いてディジタルデータに変換して出力する。
ＦＦＴタイミング同期回路３３は、受信回路３２から出力する各バンドの信号を含む時間領域信号よりＦＦＴタイミングを検出し、シンボル切出し部３４は該ＦＦＴタイミングでシンボルを切出してＦＦＴ部３５に入力する。ＦＦＴ部３５は切り出されたシンボル毎にＦＦＴ処理を行ない、周波数領域のサブキャリア信号に変換する。チャネル推定回路３６は、一定間隔で受信するパイロットシンボルと既知のパイロットパターンとの相関を計算することで、サブキャリア毎のチャネル推定を行ない、チャネル補償回路３７は、チャネル推定値を用いて、データシンボルのチャネル変動を補償する。以上の処理によって、図１８(Ａ)の１〜３１の各サブキャリアに配分された3ユーザの送信データの復調が行われる。以後、図示しないが復調されたサブキャリア信号１〜３１はシリアルデータに変換された後、バンド毎に復号される。【０００５】
・ガードバンド
ＯＦＤＭAアクセス方式を下りリンクに適用した場合、移動局では自局に割り当てられたバンドを、図２５（Ａ）に示すように特性Ａを有する受信フィルタ(図２０のローパスフィルタ６ｅ)で切り出してから、所定の帯域幅の受信機（ＦＦＴ、チャネル補償部など）を用いて受信処理を行う。この時、受信フィルタで帯域制限を行う領域（周波数減衰特性の傾斜領域）においてサブキャリアの波形が歪むことにより、サブキャリア間の直交性が崩れ、干渉成分がバンドの帯域内に漏れこんでくる問題が生じる。
そこで、図２５（B）に示すように、バンドの境界にガードバンド(サブキャリア１０，１１；２１，２２)を設けて、その領域のサブキャリアをデータ伝送に使用しないことで、上記の干渉の影響を除去することが行われている。図２５（Ｃ）は、移動局において、バンド２を受信フィルタで切り出す方法を示している。図２５（Ｃ）のように、ガードバンド領域に受信フィルタの傾斜部分が来るように設計することで、波形歪みによる干渉の影響をなくすことができる。また、図２５（Ａ）のような広い通過帯域特性の受信フィルタを用いた場合でも、比較的大きな干渉成分は、ガードバンド領域に発生するため、バンド内に干渉成分が漏れこんでくる影響を防ぐことができる。
一方、ＯＦＤＭAを上りリンク（移動局から基地局への通信）に適用した場合、基地局は複数のバンドを一括して受信してＯＦＤＭ信号処理を行う。一般に、ＯＦＤＭでは、図２１に示すように、信号波形の終端部分をコピーしてＯＦＤＭシンボルの先頭に付加するガードインターバルＧＩを設けることによって、マルチパス信号や他ユーザ信号などの受信タイミングの異なる信号に対しても、サブキャリア間の直交性が保たれるような仕組みが設けられている。図２６を用いて、その仕組みを簡単に説明する。基地局のＦＦＴタイミング同期部３３(図２４)は、同時に受信する複数のユーザの受信タイミング（ＦＦＴタイミング）を測定し、受信信号の中から、最もＦＦＴタイミングの早いパス（図２６の例ではユーザ1の主波）のガードインターバルを除いたシンボル位置を切り出してＦＦＴ処理する。この時、全てのユーザの信号がガードインターバルを含めて切り出したシンボルに含まれていれば、ＦＦＴの性質によってサブキャリア間の直交性が保たれる。しかしながら、上りリンクでは、基地局と移動局間の距離や伝搬路状態によって、基地局に信号が到達するタイミングがユーザ毎に大きく異なるため、受信タイミング差がガードインターバルを越えることがあり、サブキャリア間の直交性が崩れる状態が発生する。このような場合、図２５（B）に示すようにガードバンドを設けることで、隣接するバンドのサブキャリア間の直交性が崩れることによる干渉の影響を低減することができる。
また、移動通信では、基地局と移動局の基準周波数に僅かなずれが生じることにより、キャリア周波数にオフセットが生じる。一般に、移動局では、ＡＦＣ（Automatic Frequency Control）によって、キャリア周波数オフセットを補償しているが、ＡＦＣの性能が端末によって異なるために、ＡＦＣによって補償しきれない周波数オフセットはユーザ毎に異なる。例えば、周波数オフセット量がサブキャリア周波数間隔の１割近くに達すると、サブキャリア間干渉の影響により、伝送特性が大幅に劣化することが知られている。このような場合には、図２５（B）に示すようにガードバンドを設けることで、ＡＦＣ性能の悪いユーザが使用するバンドからのサブキャリア間干渉の影響を低減することができる。【０００６】
・発明が解決しようとする問題点
以上のように、ＯＦＤＭAを用いるセルラー移動通信システムでは、ガードバンドを設けることにより、サブキャリア間の直交性が崩れることによるバンド間の干渉の影響を低減することがでる。しかしながら、ガードバンドを設けることは、通信に使用しない帯域を設けることであり、その帯域の分だけ周波数利用効率が低下する問題がある。周波数利用効率を高めるためには、ガードバンドを設けずに、全てのサブキャリアをデータ伝送に使用する必要があるが、前述したように、受信フィルタの影響や、バンド間の受信電力差、受信タイミング差、周波数オフセット差などの影響により、サブキャリア間の直交性が崩れることによる干渉の影響により、スループットが上がらず、周波数利用効率を高めることができない問題がある。
従来技術としてガードバンド領域に挿入したサブキャリアをデータ伝送に使用する方法がある(特許文献1参照)。しかしながら、この従来技術は、２つのバンドをまとめて１つのバンドとして使用する際に、ガードバンド領域もデータ伝送に使用する方法を示しているにすぎず、適応的にガードバンド領域をデータ伝送に使用するか、又はガードバンドとしてデータ伝送に使用しないかを決定するものではない。
それに対して、本発明の目的は適応的に、ガードバンド領域をデータ伝送に使用するか、ガードバンドとしてデータ伝送に使用しないかを決定して、周波数利用効率を向上することである。
【特許文献１】特開２００２−３１９９１７号
【発明の開示】
【０００７】
帯域を複数のバンドに分割し、各バンドを移動局に割り当ててＯＦＤＭデータ通信するＯＦＤＭ通信システムにおいて、基地局はバンドの伝送特性および隣接するバンドの使用状態を監視し、これらバンドの伝送特性および隣接するバンドの使用状態に基づいてバンドの境界に設けたガードバンド領域をデータ伝送に使用するか、又はガードバンドとしてデータ伝送に使用しないかを決定する。
例えば、下りリンク通信に際して、基地局は、移動局から受信する所定のバンドの下り伝送特性および隣接するバンドの使用状態を監視し、これらバンドの伝送特性および隣接するバンドの使用状態に基づいて、バンドの境界に設けたガードバンド領域を下りリンクのデータ伝送に際して使用するか、又はガードバンドとしてデータ伝送に使用しないかを決定する。そして、基地局はこの決定した下りリンク通信おけるガードバンド領域の使用方法を制御データで移動局に通知する。
又、上りリンク通信に際して、基地局は、バンドの上りリンク通信における伝送特性および隣接するバンドの使用状態を監視し、これらバンドの伝送特性および隣接するバンドの使用状態に基づいて、バンドの境界に設けたガードバンド領域を上りリンクのデータ伝送に際して使用するか、又はガードバンドとしてデータ伝送に使用しないかを決定し、該上りリンク通信おけるガードバンド領域の使用方法を移動局に通知する。
移動局は、下りリンク通信においてガードバンド領域をデータ伝送に使用するか、使用しないかの制御情報の指示に基づいて、下り送信データを復調する。また、上りリンク通信においてガードバンド領域をデータ伝送に使用するか、使用しないかの前記制御情報の指示に基づいて、上り送信データを所定バンドのサブキャリアに配分して送信する。
本発明によれば、適応的にガードバンド領域をデータ伝送に使用するか、ガードバンドとしてデータ伝送に使用しないかを決定でき、周波数利用効率を向上することができる。
【図面の簡単な説明】
【０００８】
【図１】本発明のガードバンドの適応制御説明図である。
【図２】本発明の基地局装置の構成図である。
【図３】ＯＦＤＭ送信部の構成図である。
【図４】ＯＦＤＭ受信部の構成図である。
【図５】ＦＦＴタイミング同期回路の構成図である。
【図６】遅延プロファイルの波形図である。
【図７】上りリンクにおけるガードバンド制御部のガードバンド使用法決定処理フローである。
【図８】下りリンクにおけるガードバンド制御部のガードバンド使用法決定処理フローである。
【図９】移動局の構成図である。
【図１０】移動局のＯＦＤＭ受信部の構成例である。
【図１１】移動局のＯＦＤＭ送信部の構成例である。
【図１２】受信電力測定部の構成図である。
【図１３】ガードバンド近傍ＳＩＲ測定部の構成図である。
【図１４】受信タイミング測定部の説明図である。
【図１５】周波数オフセット測定部の構成図である。
【図１６】位相差計算部の構成図である。
【図１７】周波数オフセット計算部の説明図である。
【図１８】ＯＦＤＭAアクセス方式の周波数帯域におけるユーザ分割の様子を示した図である。
【図１９】基地局のＯＦＤＭ送信部の構成図である。
【図２０】移動局のＯＦＤＭ受信部の構成図である。
【図２１】ガードインターバルＧＩの説明図である。
【図２２】フレームフォーマット説明図である。
【図２３】移動局のＯＦＤＭ送信部の構成図である。
【図２４】基地局のＯＦＤＭ受信部の構成図である。
【図２５】ＯＦＤＭAアクセス方式におけるガードバンド説明図である。
【図２６】サブキャリア間の直交性が保たれる仕組み説明図である。
【発明を実施するための最良の形態】
【０００９】
（Ａ）本発明の概略
・ガードバンドの適応制御
OFDMAでは、受信電力や受信タイミング、周波数オフセットなどの通信条件によって、ガードバンドが必要な場合とガードバンドが不要な場合がある。本発明は、通信条件に応じて、適応的に図１（A）に示すようにガードバンド領域(サブキャリア１０，１１；２１，２２)をデータ伝送に使用したり、（B）、（C）に示すようにガードバンドを設けたりする。これにより、周波数利用効率を確実に向上できる。
たとえば、伝送レートの高いデータ通信を行っている移動局は、16QAMや64QAMなどの多値変調や、符号化率の高い誤り訂正符号化を使用する。このような場合、隣接バンドにおけるサブキャリア間の直交性の崩れによる干渉の影響を受けやすい。そこで、伝送レートの高いデータ通信時にはガードバンドを設け、伝送効率を向上する(図１（Ｂ）)。一方、
伝送レートの低いデータ通信を行っている移動局は、BPSKやQPSKなどの変調方法や符号化率の低い誤り訂正符号化を使用する。このような場合、隣接バンドにおけるサブキャリア間の直交性の崩れによる干渉の影響をあまり受けない。そこで、伝送レートの低いデータ通信時には、ガードバンドを設けずに、その領域もデータ伝送に使用し、伝送効率を向上する(図１（A）)。このように、ユーザの伝送レートに応じて、ガードバンドを設けたり、ガードバンド領域をデータ伝送に使用したりすることを適応的に制御することにより、周波数利用効率を向上する。【００１０】
・下りリンクにおけるガードバンドの適応制御
基地局は、下りリンクで各ユーザの信号をそれぞれのバンドに割り当てて送信する際、ガードバンド領域をデータ伝送に使用するか、又はガードバンドとしてデータ伝送に使用しないかを決定する。そして、ガードバンドにデータを割り当てているかどうかの情報を、制御チャネルを用いてそれぞれの移動局に通知する。このような仕組みを設けることで、ガードバンドの使用方法を適応的に制御することができる。具体的に、基地局は、以下のようにしてガードバンドの適応制御を行なう。
(1) 基地局は、あるバンドにおいて割り当てるユーザが存在しなければ、そのバンドの両端のガードバンド領域を、それぞれ隣接するバンドにおいてデータ伝送に使用するように制御する。
(2) 基地局は、あるバンドにおいて、予め設定された伝送レートより高い伝送レートが適用されていれば、そのバンドの両端のガードバンド領域をガードバンドとして使用し、データ伝送に用いないように制御する(図１（B）)。伝送レート以外にも、変調方式や符号化率を判断基準とすることができる。
(3) 基地局は、ガードバンドの使用方法を決定する条件として、移動局からのフィードバック情報を使用することができる。移動局は、OFDMの各サブキャリアに時間多重されているパイロットシンボルを用いて、下りリンクの受信電力を測定し、上りリンクの制御チャネルを用いてその情報を基地局にフィードバックする。基地局は、フィードバックされた各バンド毎の受信電力を比較し、隣り合ったバンドの受信電力の差があらかじめ設定された閾値以上の場合には、それらのバンド間のガードバンド領域をガードバンドとして使用し、データの伝送に用いないように制御する(図１（Ｃ）)。
(4)また、移動局は、OFDMの各サブキャリアに時間多重されているパイロットシンボルを用いて、ガードバンド領域やガードバンド領域近傍の受信ＳＩＲ（Signal to Interference Ratio）を測定し、その情報を基地局にフィードバックする。基地局は、フィードバックされたＳＩＲがあらかじめ設定された閾値以下の場合には、そのガードバンド領域をガードバンドとして使用し、データの伝送に用いないように制御する(図１（Ｃ）)。尚、移動局は、測定したＳＩＲをあらかじめ設定された閾値と比較することで、ガードバンドの使用方法を決定し、基地局に対して、ガードバンド領域の使用方法を要求することもできる。【００１１】
・上りリンクにおけるガードバンドの適応制御
上りリンクでは、基地局が測定した情報を元にして、ガードバンド領域の使用方法を決定し、下りリンクの制御チャネルなどを利用して、移動局に対してガードバンドの使用方法を指示する。このような仕組みを設けることで、ガードバンドの使用方法を適応的に制御することができる。具体的に、基地局は、以下のようにしてガードバンドの適応制御を行なう。
(1) 基地局は、上りリンクのあるバンドにおいて、割り当てるユーザが存在しない場合は、そのバンドの両端のガードバンド領域を、隣接するそれぞれのバンドにおいてデータ伝送に使用するように移動局に通知する。
(2)基地局は、OFDMの各サブキャリアに時間多重されているパイロットシンボルを用いて、上りリンクのバンド毎の受信電力を測定し、隣接するバンド間の受信電力差があらかじめ設定された閾値以上の場合には、２つのバンド間のガードバンド領域をガードバンド
として使用し、データの伝送に用いないように移動局に通知する(図１（Ｃ）)。
(3)基地局は、上りリンクのあるバンドに割り当てる伝送レートが、あらかじめ設定された伝送レートより高ければ、そのバンドの両端のガードバンド領域をガードバンドとして使用し、データ伝送に用いないように移動局に通知する(図１（Ｂ）)。伝送レート以外にも、変調方式や符号化率を判断基準とすることができる。
(4)基地局は、OFDMの各サブキャリアに時間多重されているパイロットシンボルを用いて、ガードバンド領域やガードバンド領域近傍の受信ＳＩＲを測定し、その値があらかじめ設定された閾値以下の場合には、そのガードバンド領域をガードバンドとして使用し、データの伝送に用いないように移動局に通知する(図１（Ｃ）)。
(5)基地局は、OFDMの各サブキャリアに時間多重されているパイロットシンボルを用いて、上りリンクにおけるユーザ毎の遅延プロファイルを測定する。そして、２つの隣接したバンドの受信タイミングの差をガードインターバルの長さと比較し、そのタイミング差があらかじめ設定された閾値以上の場合には、２つのバンド間のガードバンド領域をガードバンドとして使用し、データの伝送に用いないように移動局に通知する(図１（C）)。
(6)基地局は、OFDMの各サブキャリアに時間多重されているパイロットシンボルを用いて、上りリンクにおけるユーザ毎の周波数オフセット量を測定する。そして、２つの隣接したバンドの周波数オフセットの差を、サブキャリア周波数間隔と比較し、周波数オフセットの差があらかじめ設定された閾値以上の場合には、２つのバンド間のガードバンド領域をガードバンドとして使用し、データの伝送に用いないように移動局に通知する(図１（C）)。【００１２】
（Ｂ）実施例
(ａ)基地局
図2は本発明の基地局装置の構成図であり、図1に示すように３１個のサブキャリアからなる帯域を、１０サブキャリア、１１サブキャリア、１０サブキャリアの３つのバンド１〜３に分割し、各バンド１，２，３にユーザ１，２，３を割り当ててＯＦＤＭ伝送する場合である。
送信制御部５１はユーザ毎に符号化率、変調方式を決定してユーザデータ変調・分配部５２とガードバンド制御部５３および制御データ作成部５５に入力する。ユーザデータ変調・分配部５２は、送信制御部５１からユーザ毎に指示される符号化率で各ユーザデータを符号化すると共に、指示された変調方式（BPSK,QPSK,16QAM等）に従ってユーザデータを変調して対応するバンドのフレーム生成部５４1〜５４3に分配する。一方、ガードバンド制御部５３は、後述する制御により各フレーム生成部５４1〜５４3及び制御データ作成部５５に対し、各バンドの両側のガードバンド領域を下りデータ伝送に際して使用しても良いか否かを、換言すれば、バンドの両側にガードバンドを設けるべきか否かを通知する。【００１３】
制御データ作成部５５は、ユーザ毎の符号化率や変調方式だけでなく、下りリンクおよび上りリンクについて、バンド１〜３のガードバンド使用方法を通知するデータを作成して、それぞれをフレーム生成部５４1〜５４3に入力する。また、パイロット作成部５６は各バンドに応じたパターンのパイロットを作成し、それぞれをフレーム生成部５４1〜５４3に入力する。各フレーム生成部５４1〜５４3は図２２に示すフレームフォーマットに示すタイミングでパイロット、制御データ、送信データを所定のサブキャリア１〜３１に配分する。
フレーム生成部５４1はバンド１のガードバンド領域(サブキャリア１０)をガードバンドとして使用することが指示されている場合には、フレームフォーマットにしたがって、バンド1のパイロットシンボル、バンド1の制御データシンボル、バンド１の送信データシンボルをサブキャリア１〜９に配分し、該ガードバンド領域をデータ伝送に使用しても良いことが指示されている場合には、フレームフォーマットにしたがってこれらシンボルをサブキャリア１〜１０に配分する。
フレーム生成部５４2はバンド２のガードバンド領域(サブキャリア１１，２１)をガー
ドバンドとして使用することが指示されている場合には、フレームフォーマットにしたがってバンド２のパイロットシンボル、バンド２の制御データシンボル、バンド２の送信データシンボルをサブキャリア１２〜２０に配分し、該ガードバンド領域をデータ伝送に使用しても良いことが指示されている場合にはフレームフォーマットに従ってこれらシンボルをサブキャリア１１〜２１に配分する。また、一方のガードバンド領域(サブキャリア１１)をガードバンドとして使用することが指示され、他方のガードバンド領域(サブキャリア２１)をデータ伝送に使用しても良いことが指示されている場合には、フレームフォーマットにしたがって、バンド２のパイロットシンボル、バンド２の制御データシンボル、バンド２の送信データシンボルをサブキャリア１２〜２１に配分する。
フレーム生成部５４3はバンド３のガードバンド領域(サブキャリア２２)をガードバンドとして使用することが指示されている場合には、フレームフォーマットにしたがって、バンド３のパイロットシンボル、バンド３の制御データシンボル、バンド３の送信データシンボルをサブキャリア２３〜３１に配分し、該ガードバンド領域をデータ伝送に使用しても良いことが指示されている場合には、フレームフォーマットにしたがってこれらシンボルをサブキャリア２２〜３１に配分する。【００１４】
ＯＦＤＭ送信部５７は、図３に示す構成を備え、図１９で説明したと同様に動作する。すなわち、ＩＦＦＴ部５７ａはフレーム生成部５４1〜５４3から入力するサブキャリア信号１〜３１にＩＦＦＴ処理を施して時間領域信号に変換し、ガードインターバル挿入部５７ｂは該時間領域信号にガードインターバルＧＩを挿入し、送信部５７ｃはガードインターバル挿入部５７ｂから出力するべースバンド信号を中心周波数ｆ1のＲＦ信号に周波数変換して送信アンテナ５８から送出する。
又、各移動局から送信されたＯＦＤＭ変調信号は、それぞれの伝搬路を通り、基地局の受信アンテナ６１で受信されてＯＦＤＭ受信部６２に入力する。ＯＦＤＭ受信部６２は図４に示す構成を備え、図２４で説明したと同様に動作する。すなわち、受信回路６２ａはＲＦ信号をベースバンド信号に変換し、ＦＦＴタイミング同期回路６２ｂは、受信回路６２ａから出力する各バンドの信号を含む時間領域信号よりＦＦＴタイミングを検出し、シンボル切出し部６２ｃは該ＦＦＴタイミングでシンボルを切出してＦＦＴ部６２ｄに入力する。ＦＦＴ部６２ｄは切り出されたシンボル毎にＦＦＴ処理を行ない、周波数領域のサブキャリア信号１〜３１に変換する。チャネル推定回路６２ｅは、一定間隔で受信するパイロットシンボルと既知のパイロットパターンとの相関を計算することで、サブキャリア毎のチャネル推定を行ない、チャネル補償回路６２ｆは、チャネル推定値を用いて、データシンボルのチャネル変動を補償する。【００１５】
図５はＦＦＴタイミング同期回路６２ｂの構成図であり、受信信号とユーザ毎のパイロットシンボルレプリカ(既知)との相関を演算する相関演算器６２ｂ1〜６２ｂ3とバンド１〜３から最速のパスを検出する最速パス検出部６２ｂ4を備えている。このＦＦＴタイミング同期回路６２ｂは、ユーザ毎のパイロットシンボルレプリカと受信信号の相関演算からユーザ毎の遅延プロファイル(図６参照)を計算し、その中から最速パスのタイミング、すなわち、遅延プロファイルが閾値以上となる立ち上がりタイミングｔ１〜ｔ３のうちの最初のタイミングを検出し、この検出タイミングをＦＦＴタイミングとしてシンボル切り出し部６２ｃに入力する。
図2に戻って、ＯＦＤＭ受信部６２は、移動局から制御チャネルで送られてきた下りリンクの伝送特性データを復号してガードバンド制御部５３に入力すると共に、サブキャリア１〜３１のチャネル推定値および遅延プロファイル(図６)をバンド１〜３の測定回路６３1〜６３3に入力する。下りリンクの伝送特性データとしては、下り受信電力およびガードバンド領域あるいはその近傍のサブキャリアの受信ＳＩＲがある。
各バンドの測定回路６３1〜６３3は上りリンクにおけるバンド１〜３の伝送特性を測定してガードバンド制御部５３に入力する。すなわち、測定回路６３1〜６３3は、各バンドの上り受信電力を測定する受信電力測定部ＰＷＭ、各バンドのガードバンド近傍における
サブキャリアの受信ＳＩＲを測定するＳＩＲ測定部ＳＩＭ、各バンドのシンボル受信タイミングを測定する受信タイミング測定部ＲＴＭ、各バンドの周波数オフセットを測定する周波数オフセット測定部ＦＯＭを備え、測定した上り受信電力、上り受信ＳＩＲ、受信タイミング、周波数オフセットをガードバンド制御部５３に入力する。各測定部の構成は後述する。
ガードバンド制御部５３は、送信制御部５１から入力するバンドの使用状態、各測定回路６３1〜６３3から入力する上りリンクの伝送特性、OFDM受信部６２から入力する下りリンクの伝送特性に基づいて、上りリンク、下りリンクそれぞれについて、各バンドの両側のガードバンド領域を下りデータ伝送に際して使用しても良いか否かを決定して、換言すれば、バンドの両側にガードバンドを設けるべきか否かを決定してフレーム生成部５４1〜５４3と制御データ作成部５５に通知する。【００１６】
（ｂ）ガードバンド使用法決定処理
図７は上りリンクにおけるガードバンド制御部５３のガードバンド使用法決定処理フローである。
ガードバンド制御部５３は各バンドについてユーザ(移動局)が割り当てられているか判別し(ステップ１０１)、ユーザが割り当てられていないバンドが存在すれば、該バンドの両側のガードバンド領域を隣接するバンドのデータ伝送に使用すると決定する(ステップ１０２)。図1（B）を参照すれば、ガードバンド領域はサブキャリア１０，１１；２１，２２である。従って、例えばバンド２にユーザが割り当てられていないとすれば、バンド１についてはサブキャリア１０をデータ伝送に使用すると決定し、バンド３についてはサブキャリア２２をデータ伝送に使用すると決定する。
ついで、ガードバンド制御部５３は、伝送レートあるいは変調方式あるいは符号化率を参照して伝送レートの高いデータ通信を行なうバンドがあるかチェックする(ステップ１０３)。存在すれば、そのバンドの両端のガードバンド領域をデータ伝送に使用しないと決定する(ステップ１０４)。例えばバンド２の伝送レートが高ければ、バンド１についてはサブキャリア１０をデータ伝送に使用しないと決定し、バンド２についてはサブキャリア１１，２１をデータ伝送に使用しないと決定し、バンド３についてはサブキャリア２２をデータ伝送に使用しないと決定する。
ついで、ガードバンド制御部５３は、各バンドの上り受信電力を比較し、隣り合ったバンドの受信電力差が大きいものがあるかチェックし(ステップ１０５)、存在すれば、隣り合ったバンドの境界に存在するガードバンド領域のサブキャリアをデータ伝送に使用しないと決定する(ステップ１０６)。
ステップ１０５、１０６の判定処理が終了すれば、上りリンクにおける各バンドのガードバンド領域の受信ＳＩＲが大きいかチェックし(ステップ１０７)、大きければ該ガードバンド領域近傍のサブキャリアをデータ伝送に使用すると決定し、小さければガードバンドとして使用することを決定する(ステップ１０８)。
ついで、ガードバンド制御部５３は、上りリンクにおいて隣り合ったバンドの受信タイミング差があらかじめ設定された閾値より大きいかチェックし(ステップ１０９)、大きければ隣り合ったバンドの境界のガードバンド領域をデータ伝送に使用しないと決定する(ステップ１１０)。
最後に、ガードバンド制御部５３は、上りリンクにおいて隣り合ったバンドの周波数オフセット差があらかじめ設定された閾値より大きいかチェックし(ステップ１１１)、大きければ隣り合ったバンドの境界のガードバンド領域をデータ伝送に使用しないと決定し(ステップ１１２)、処理を終了する。以後、ガードバンド制御部５３は、フレーム毎に上記処理を繰返す。【００１７】
図８は下りリンクにおけるガードバンド制御部５３のガードバンド使用法決定処理フローであり、ステップ２０１〜２０４は図７のステップ１０１〜１０４の処理と同じである。
ステップ２０３，２０４の処理終了後、ガードバンド制御部５３は、各移動局から通知される情報(フィードバック情報)に含まれる下りり受信電力を比較し、隣り合ったバンドの受信電力差が大きいものがあるかチェックし(ステップ２０５)、存在すれば、隣り合ったバンドの境界に存在するガードバンド領域のサブキャリアをデータ伝送に使用しないと決定する(ステップ２０６)。
ついで、ガードバンド制御部５３は、各移動局から通知されるフィードバック情報に含まれる下りリンクにおける各バンドのガードバンド領域近傍の受信ＳＩＲが大きいかチェックし(ステップ２０７)、大きければ該ガードバンド領域のサブキャリアをデータ伝送に使用すると決定し、小さければガードバンドとして使用することを決定する (ステップ２０８)。以後、ガードバンド制御部５３は、フレーム毎に上記処理を繰返す。【００１８】
（ｃ）移動局
図９は移動局の構成図であり、移動局にバンド２が割り当てられているものとする。
基地局から送信された信号は、フェージング伝搬路を経て、移動局の受信アンテナ７１によって受信され、受信信号はＯＦＤＭ受信部７２に入力する。
ＯＦＤＭ受信部７２は図１０に示す構成を備え、図２０と同一の動作を行なう。すなわち、受信回路（Rx）７２ａはアンテナ７１により受信されたＲＦ信号より例えばバンド２のベースバンド信号を出力する。ＦＦＴタイミング同期回路７２ｂは、受信回路７２ａから出力するバンド２の信号を含む時間領域信号よりＦＦＴタイミングを検出し、シンボル切出し部７２ｃは該ＦＦＴタイミングでシンボルを切出してＦＦＴ部７２ｄに入力する。ＦＦＴ部７２ｄは切り出されたシンボル毎にＦＦＴ処理を行ない、バンド２の周波数領域信号であるサブキャリア信号１１〜２１に変換する。
図９に戻って、チャネル推定回路７３は、一定間隔で受信するパイロットシンボルと既知のパイロットパターンとの相関を計算することで、サブキャリア１１〜２１のチャネル推定を行ない、制御チャネル復調部７４はチャネル推定値を用いて制御チャネルを復調し、下りリンク及び上りリンクにおけるバンド２のガードバンド使用法を求め、下りリンクのガードバンド使用法ＤＬＧＢをデータチャネル復調部７５に通知し、上りリンクのガードバンド使用法ＵＬＧＢをフレーム生成部７６に通知する。
データチャネル復調部７５はチャネル推定値を用いてデータチャネルを復調し、下りリンクのガードバンド使用法ＤＬＧＢに基づいて復調データを出力する。例えば、ガードバンド領域のサブキャリア１１、２１がガードバンドとして使用されていればサブキャリア１２〜２０の復調データを出力し、サブキャリア１１、２１がデータ伝送に使用されていればサブキャリア１１〜２１の復調データを出力する。
測定回路７７は、チャネル推定値を用いて下り受信電力ＰＷ及びガードバンド領域やガードバンド領域近傍のサブキャリアの受信ＳＩＲを測定してフレーム生成部７６に入力する。
フレーム生成部７６は、制御チャネル復調部７４から通知された上りリンクのガードバンド使用法ＵＬＧＢに基づいて、図２２のフレームフォーマットにしたがって、パイロットシンボル、下り受信電力ＰW及び受信ＳＩＲを含む制御データシンボル、送信データシンボルをバンド２のサブキャリア１１〜２１に配分してＯＦＤＭ送信部７８に入力する。すなわち、フレーム生成部７６は、バンド２のガードバンド領域をガードバンドとして使用することが指示されていれば、フレームフォーマットに従ってパイロットシンボル、制御データシンボル、送信データシンボルをサブキャリア１２〜２０に配分し、該ガードバンド領域をデータ伝送に使用しても良いことが指示されていれば、フレームフォーマットに従ってこれらシンボルをサブキャリア１１〜２１に配分してＯＦＤＭ送信部７８に入力する。
ＯＦＤＭ送信部７８は図１１に示す構成を備えている。ＩＦＦＴ部７８ａはサブキャリア信号１１〜２１にＩＦＦＴ処理を施して時間領域信号に変換し、ガードインターバル挿入部７８ｂは該時間領域信号にガードインターバルＧＩを挿入し、送信回路（Tx）７８ｃは入力信号をベースバンド信号に変換した後、バンド２に応じた中心周波数ｆ1のＲＦ信号
に周波数変換し、帯域制限した後、増幅して送信アンテナ７９から送信する。【００１９】
（ｄ）測定回路
図１２は図２の受信電力測定部ＰＷＭの構成図であり、図９の測定回路７７の受信電力測定にも使用することができる。
チャネル推定部６２ｅはバンドを構成するサブキャリア数分のチャネル推定値
ｈi＝Hi ×exp(jθi)（ｉ＝１〜ｎ）
を出力し、電力計算部８１ａは振幅の自乗｜hi｜2により各サブキャリアの電力を計算し、合計部８１ｂは次式
Ｐ＝Σi｜hi｜2  （ｉ＝１〜ｎ）      (1)
によりバンドのトータル電力Ｐを計算する。【００２０】
図１３は図２のガードバンド近傍ＳＩＲ測定部ＳＩＭの構成図であり、図９の測定回路７７におけるガードバンド近傍ＳＩＲ測定にも使用することができる。
平均演算部８５ｂはＮシンボル分のサブキャリア信号の平均値ｍを演算し、希望波電力演算部８５ｃは平均値ｍのＩ，Ｑ軸成分を二乗して加算することによりｍ2（希望信号の電力Ｓ）を演算する。受信電力算出部８５ｄはサブキャリア信号のＩ軸成分HI、Ｑ軸分HQを二乗して加算することにより、すなわち次式Ｐ＝HI2＋HQ2を演算することにより、受信電力Ｐを計算し、平均値演算部８５ｅは受信電力の平均値を演算し、減算器８５ｆは受信電力の平均値からｍ2（希望波電力Ｓ）を減算して干渉波電力Ｉを出力し、ＳＩＲ演算部８５ｇは希望波電力Ｓと干渉波電力Ｉより次式
ＳＩＲ＝Ｓ／Ｉ         (2)
によりＳＩＲを演算する。希望信号及び干渉波を含む入力信号をｘi(i=1,2,・・・N)とするとき、入力信号の平均値ｍは次式
ｍ＝（１／Ｎ）・Σｘi （ｉ＝１，２，・・・Ｎ）
で表現され、平均値ｍを二乗したものが希望波電力Ｓとなる。一方、入力信号と平均値の差を二乗したものの平均値（分散）σ2は干渉波電力Ｉであり、次式
σ2＝（１／Ｎ）・Σ（ｘi−ｍ）2 （ｉ＝１，２，・・・Ｎ）
で表現される。上式を変形すると、
σ2＝（１／Ｎ）・Σ|ｘi|2−（２ｍ／Ｎ）・Σｘi＋（１／Ｎ）・Σｍ2 
＝（１／Ｎ）・Σ|ｘi|2−２ｍ2＋ｍ2 
＝[（１／Ｎ）・Σ|ｘi|2]−ｍ2         (3)
となる。そこで、受信電力算出部８５ｄ及び平均値演算部８５ｅは(3)式の右辺第１項の演算を実行し、減算器８５ｆは平均値演算部８５ｅの出力よりｍ2（希望波電力Ｓ）を減算して干渉波電力Ｉを演算し、ＳＩＲ演算部８５ｇは(2)式の演算を実行してＳＩＲを出力する。【００２１】
図１４は図２の受信タイミング測定部ＲＴＭの説明図であり、図５の構成と同一部分には同一符号を付している。受信タイミング測定部ＲＴＭは、ＦＦＴタイミング同期回路６２ｂの相関演算器６２ｂ1〜６２ｂ3から出力する遅延プロファイル(図６参照)を入力され、各遅延プロファイルが閾値以上となる立ち上がりタイミングｔ１〜ｔ３を各ユーザからの受信タイミングとして測定する。【００２２】
図１５は図２の周波数オフセット測定部ＦＯＭの構成図であり、バンド１〜３の周波数オフセット測定部ＦＯＭがそれぞれ示されている。各バンドの周波数オフセット測定部ＦＯＭはそれぞれ、サブキャリア毎のチャネル推定値ｈnの位相変化量を計算し、その平均値から周波数オフセット量ｆoffsetを求めるようにしている。ユーザ毎のサブキャリアが決まっているため、ユーザ毎の周波数オフセット量を求めることができる。各バンドの周波数オフセット測定部の構成は同じであるので、バンド１の周波数オフセット測定について説明する。
バンド１のチャネル推定部６２ｅ1からサブキャリア１〜１０のチャネル推定値ｈ1〜ｈ10が周波数オフセット測定部の位相差計算部９１1〜９１10に入力する。位相差計算部９１1〜９１10は図１６に示すように遅延回路９２と位相差計算部９３を備え、パイロット挿入間隔の期間Ｔにおけるチャネル推定値ｈ1〜ｈ10のそれぞれの位相変化をオフセット周波数として検出する。すなわち、基地局の基準周波数とユーザ(移動局)の周波数の間にオフセットが存在すると、チャネル推定値の位相がずれ、オフセットが大きいほど位相ずれが大きくなる。そこで遅延部９２でパイロット周期分チャネル推定値ｈnを遅延し、位相差計算部９３で遅延したチャネル推定値ｈn(t-T)と現チャネル推定値ｈn(t)の位相差
Δθ＝∠ｈn(t)−∠ｈn(t-T)
を計算して出力する。周波数オフセット計算部９４1は図１７に示すように各サブキャリアの周波数オフセットの平均値を用いて次式
【数１】
0004476324.tif 000002
によりバンド１のオフセット周波数を計算する。他のバンド２，３についても同様にオフセット周波数を計算することができる。
以上の説明ではサブキャリア数が３１、バンド数が3つの場合について説明したが、本発明はこれらの数に限定するものではないことは明らかである。
以上、本発明によれば、ガードバンド帯域の使用方法を適応的に制御することにより、帯域を有効に使用することができ、周波数利用効率が向上する。また、基地局は、伝送路特性や移動局からのフィードバック情報、隣接するバンドの使用状態に応じて、ガードバンド帯域の使用／未使用を適応的に制御することで、システムのスループットを向上することができる。
【図１】
0004476324.tif 000003
【図２】
0004476324.tif 000004
【図３】
0004476324.tif 000005
【図４】
0004476324.tif 000006
【図５】
0004476324.tif 000007
【図６】
0004476324.tif 000008
【図７】
0004476324.tif 000009
【図８】
0004476324.tif 000010
【図９】
0004476324.tif 000011
【図１０】
0004476324.tif 000012
【図１１】
0004476324.tif 000013
【図１２】
0004476324.tif 000014
【図１３】
0004476324.tif 000015
【図１４】
0004476324.tif 000016
【図１５】
0004476324.tif 000017
【図１６】
0004476324.tif 000018
【図１７】
0004476324.tif 000019
【図１８】
0004476324.tif 000020
【図１９】
0004476324.tif 000021
【図２０】
0004476324.tif 000022
【図２１】
0004476324.tif 000023
【図２２】
0004476324.tif 000024
【図２３】
0004476324.tif 000025
【図２４】
0004476324.tif 000026
【図２５】
0004476324.tif 000027
【図２６】
0004476324.tif 000028